(57)【特許請求の範囲】
【請求項１】
非円形の内部横断面を持ち、一端がアプリケータ壁（３）によって閉止された本体（２）を具備する化粧品等のアプリケータ（１）において、本体の内壁（８）にシール状態で当接して摺動可能なピストン（７）と、該ピストンをアプリケータ壁に向けて駆動し製品をしてアプリケータ壁を通過させる駆動機構（１０、１１、１３）を伴うロッド（１２）を備えたアプリケータであって、上記ロッドには、第一の開口部（２１）を経由して本体の外側に一方では開口し、ピストンがアプリケータ壁から最も離れた位置にあるときピストンとアプリケータ壁の間に配された少なくとも一の第二の開口部（２２、２６、２７）を通して他方では本体内に開口する流路（２３）が、その高さの少なくとも一部分にわたって、該ロッドを貫通して設けられ、該ロッドにはまた流路から製品が上記本体に充填される間空気を逃がすための少なくとも一の通気孔（２９）が該ロッドを貫通して設けられたアプリケータ。
【請求項２】
アプリケータ壁（３）がロッド（１２）の自由端に面する透孔を有しないか、流路（２３）が本体（２）に軸方向に開口していないことを特徴とする請求項１に記載のアプリケータ。
【請求項３】
少なくとも一の通気孔（２９）が、ピストンがアプリケータ壁から最も離れた位置にあるときピストン（７）の近傍に配設されていることを特徴とする請求項１または２に記載のアプリケータ（１）。
【請求項４】
ロッド（１２）が、回転ノブ部（１３）に作用する作動命令に応答してピストンをアプリケータ壁に向けて駆動するために、ピストン（７）に設けられた対応ネジ部（１０）と係合可能なネジ部（１１）を有していることを特徴とする請求項１ないし３のいずれか１項に記載のアプリケータ（１）。
【請求項５】
上記少なくとも一の第二の開口部（２２、２６、２７）がアプリケータ壁（３）の近くに位置しているロッド（１２）の自由端の近傍に配設されていることを特徴とする請求項１ないし４のいずれか１項に記載のアプリケータ（１）。
【請求項６】
ロッド（１２）の自由端がアプリケータ壁（３）の内表面（２８）に接触していることを特徴とする請求項１ないし５のいずれか１項に記載のアプリケータ（１）。
【請求項７】
流路（２３）が、ロッド（１２）の自由端によって形成された開口部（２２）を通じて本体（２）中に軸方向に開口し、上記自由端はアプリケータ壁（３）の内表面（２８）からゼロではない距離にあることを特徴とする請求項１ないし５のいずれか１項に記載のアプリケータ（１）。
【請求項８】
ロッド（１２）上で互いに離れる方向に開口する少なくとも二の第二の開口部（２６，２７）を備えていることを特徴とする請求項１ないし７のいずれか１項に記載のアプリケータ（１）。
【請求項９】
本体（２）のアプリケータ壁と反対側の一端には取付底部（１５）が設けられ、該取付底部は上記第一の開口部（２１）に連通する開口部（１８）を有していることを特徴とする請求項１ないし８のいずれか１項に記載のアプリケータ（１）。
【請求項１０】
製品の充填後に、第一の開口部（２１）が、アプリケータに取り付けられた栓体（２４）によって閉塞されていることを特徴とする請求項１ないし９のいずれか１項に記載のアプリケータ（１）。
【請求項１１】
製品を本体に充填した後に、少なくとも一の通気孔（２９）が、閉塞されることを特徴とする請求項１０に記載のアプリケータ。
【請求項１２】
製品を通さない取外し可能な内側シール（５）が、アプリケータ壁（３）に取り付けられていることを特徴とする請求項１ないし１１のいずれか１項に記載のアプリケータ（１）。
【請求項１３】
アプリケータ壁（３）が外部から通気されないように隔離するために、本体（２）に着脱可能に設けられたキャップ（６）を有することを特徴とする請求項１ないし１２のいずれか１項に記載のアプリケータ（１）。
【請求項１４】
本体（２）を具備する化粧品等のアプリケータ（１）において、該本体の一端が該本体と共に成形により得られたアプリケータ壁（３）によって閉止され、本体の内壁（８）にシール状態で当接して摺動可能なピストン（７）と、該ピストンをアプリケータ壁に向けて駆動し製品をしてアプリケータ壁を通過させる駆動機構（１０、１１、１３）を伴うロッド（１２）を備えたアプリケータであって、上記ロッドには、第一の開口部（２１）を経由して本体の外側に一方では開口し、ピストンがアプリケータ壁から最も離れた位置にあるときピストンとアプリケータ壁の間に配された少なくとも一の第二の開口部（２２、２６、２７）を通して他方では本体内に開口する流路（２３）が、その高さの少なくとも一部分にわたって、該ロッドを貫通して設けられ、該ロッドにはまた流路から製品が上記本体に充填される間空気を逃がすための少なくとも一の通気孔（２９）が該ロッドを貫通して設けられたアプリケータ。
【請求項１５】
本体（２）を具備する化粧製品等のアプリケータ（１）において、該本体の一端が、アプリケータ壁（３）の実質的に全表面にわたって製品を広げるように分布させられた複数の透孔（４）を有する穿設アプリケータ壁（３）によって閉止され、本体の内壁（８）にシール状態で当接して摺動可能なピストン（７）と、該ピストンをアプリケータ壁に向けて駆動し製品をしてアプリケータ壁を通過させる駆動機構（１０、１１、１３）を伴うロッド（１２）を備えたアプリケータであって、上記ロッドには、第一の開口部（２１）を経由して本体の外側に一方では開口し、ピストンがアプリケータ壁から最も離れた位置にあるときピストンとアプリケータ壁の間に配された少なくとも一の第二の開口部（２２、２６、２７）を通して他方では本体内に開口する流路（２３）が、その高さの少なくとも一部分にわたって、該ロッドを貫通して設けられ、該ロッドにはまた流路から製品が上記本体に充填される間空気を逃がすための少なくとも一の通気孔（２９）が該ロッドを貫通して設けられたアプリケータ。
【請求項１６】
クリーム、ゲルまたはペースト状の、化粧品を塗布するための、請求項１ないし１５のいずれか１項に記載のアプリケータ（１）の使用方法であって、駆動機構を回転させてピストンをロッドに沿った方向に移動させることによって製品を透孔から押し出して使用する方法。
【発明の詳細な説明】
【０００１】
【発明の属する技術分野】
本発明は、穿設された壁部の形態のアプリケータ壁を有する、例えば半流体製品のアプリケータに関する。
一般に、半流体製品とは、その最大の粘稠度が、自重により流動可能となる程度の粘性製品を意味するものと理解されるべきである。かかる製品の例を挙げれば、例えばクリーム、ペーストまたはゲルの形態のものである。
さらに詳細には、本発明は、アプリケータ、例えばデオドラント、香水、スリム化もしくは脱毛用クリーム、フェースクリームあるいは頭皮処理用ゲルのような、美容又は皮膚医薬作用を持つ製品を局所的に適用するためのアプリケータに関する。
【０００２】
本発明に係るアプリケータは、一端が製品透過性アプリケータ壁で閉止された本体を有するタイプのものである。該アプリケータは、本体の内部の壁に液密的に当接せしめられて摺動し、アプリケータ壁から最大の距離にある第一の位置から、アプリケータ壁から最小の距離にある第二の位置まで移動可能なピストンを具備する。該アプリケータは、特に第二の位置に向けてピストンを駆動し製品をしてアプリケータ壁を通過させるために、駆動機構、特に回転式ノブと組み合わせたネジ機構を伴うロッドを有している。
さらにまた詳細には、本発明は、底部から、つまりアプリケータの塗布部分とは反対の端部から充填される前述のタイプのアプリケータに関する。
【０００３】
【従来の技術と発明が解決しようとする課題】
独国特許出願公開第２０２７４８３号には、容器の内側断面が円形であるこのタイプの機構が記載されている。そのアプリケータ部分はその中央に透孔が穿設された取付け部材からなる。アプリケータ部分は、特に、中心に穿設されたスポンジ、またはポリエチレン製の壁で、その外表面に単一の中央孔から出てくる製品を実質的に表面全体にわたって分散させる螺旋溝が形成された形態である。
このような構造の不具合な点は多数ある。容器本体が円形であるので、ピストンも円形であるが、これは、ピストンが回転するのを防ぐためには、特に弾性のあるスチールフィラメントを介して、ピストンを本体内に非常にきつく取り付けなければならず、スチールフィラメントがピストンを容器の内壁に常に押し付けている。それゆえ、ピストンをアプリケータ壁に向けて動かすためには比較的大きな力が必要であるという点で操作は著しく厄介である。
【０００４】
この不便な点に加えられるのは、アプリケータ部分が取付けられるという点から必要となる更なる組立工程であり、これは、アプリケータ部分が取り替え可能な構造を作り出すためである。
さらに、単一の中央孔の存在が意味するところは、孔が比較的大きな断面積で形成されなければならないということである。その結果、キャップが、閉止状態において、中央孔をシールするためにその内部に挿入される部材を備えていないと、装置が保管状態にあるとき不注意から製品を排出させてしまう危険性が高い。さらに、アプリケータ表面に溝が存在しているにもかかわらず、製品はアプリケータの表面に期待するほど一様には広がらない。最後に、溝はアプリケータの表面を汚す原因である。
【０００５】
米国特許第４２９８０３６号には、製品を収容するハウジングが、ピストンを駆動するロッドの中空の部分を経由して底部から充填される、前述のタイプのアプリケータが記載されている。空気はピストンに設けられた孔を通って逃げ、充填状態でのハウジングの底部は内側シールまたは所望の形状の膜により形成され、例えば取り外し可能なキャップによって所定位置に保持されている。ある一定時間の後、製品は固化して固体スティックとなる。最初に使用するときは、使用者は熱可塑性材料製の内側シールを取り除き、スティックの上面をアプリケータ面として使用して製品を塗布する。
【０００６】
アプリケータの使用寿命の全体にわたって、本体の底部と反対側を「閉止」可能である、本来のアプリケータ部分がないこととは別に、ピストンの通気孔の位置は、このようなアプリケータを用いることを固体でないスティックに対しては不適切なものにしている。これは、半液体製品、特にクリーム状製品の場合、使用の度にピストンの動きによって生じる圧力で、ある量の製品が必然的に通気孔から漏れ、ピストンの下に位置するアプリケータの部分を汚すためである。
有孔ピストンを貫通する一または複数の開口部を経由して底部から充填がなされるアプリケータについても同じことが言える。
【０００７】
他の場合として、底部からの充填後、ピストンとピストンを駆動する機構が取り付けられる前述のタイプの装置が知られている。そのような構造に伴う問題は、充填した後、すなわち製品が存在する状況で組み立てをなすことが難しいという点である。特に工業的工作機械システムを用いる組み立て環境において、どうなるかと言えば、一部の製品がハウジングから漏れて、機構を汚す危険性が大であることである。
アプリケータのハウジングを頂部から充填するということは、アプリケータ本体との成形により得られる穿設壁部の形態のアプリケータ部分を製作するということをできなくする。さらに、特に格子や多孔部材の形態のアプリケータ部分を、ハウジングの充填後に取り付けることは、工業的製造環境下では難しいことが分かるであろう。
【０００８】
よって、本発明の目的の一つは、幾つかの従来の装置を参照して上記で検討した全てまたは一部の問題を解決する前述のタイプのアプリケータを提供することである。
特に、本発明の一目的は製造するのが簡単で経済的なかかるアプリケータを製造することである。
本発明の別の目的は、特に工業製造ラインにおいて、充填が簡単で経済的なアプリケータを製造することである。
本発明の別の目的は、特に工業製造ラインにおいて、充填中に、ハウジングの外側が製品によって汚れるという危険性が顕著に低減されるような構造のアプリケータを製造することである。
本発明の更なる目的は、次に述べる詳細な記載から明らかになるであろう。
【０００９】
【課題を解決するための手段】
本発明によれば、これらの目的は、一端がアプリケータ壁によって閉止された本体を具備する、例えば化粧品のアプリケータにおいて、本体の内壁にシール状態で当接して摺動可能なピストンと、該ピストンをアプリケータ壁に向けて駆動し製品をしてアプリケータ壁を通過させる駆動機構を伴うロッドを備えたアプリケータであって、ロッドには、第一の開口部を経由して本体の外側に一方では開口し、ピストンがアプリケータ壁から最も離れた位置にあるときピストンとアプリケータ壁の間に配された少なくとも一の第二の開口部を通して他方では本体内に開口する流路が、その高さの少なくとも一部分にわたって、該ロッドを貫通して設けられ、該ロッドにはまた流路から製品が上記本体に充填される間空気を逃がすための少なくとも一の通気孔が該ロッドを貫通して設けられたアプリケータを製造することによって達成される。本体は非円形の内部断面を持ち、アプリケータ壁は本体と共に成形により得られ、アプリケータ壁の実質的に全表面にわたって製品を分散させるように広がった複数の透孔が貫通して設けられている。
【００１０】
本体の内部断面の例えば、矩形、卵形または楕円形のような、非円形の形状により、特別な固定手段を必要としないで、かつピストンの周方向縁部と本体の内表面との間に大きな当接力が作用することを必要としないで、ピストンの回転を防止することができる。従って、操作性は顕著により快適である。
本発明に係るアプリケータは、本体とアプリケータ壁が一部品として製造されることから組み立てが簡単である。この特徴によりまたアプリケータ壁が本体に取り付けられている構造に不可避的に生じるシールの問題も克服することが可能になる。
【００１１】
さらに、独国特許出願公開第２０２７４８３号に記載された単一の中央孔を持つ構造とは異なり、本発明による構造の多数の透孔の小さな断面により、粘性の低い製品に対してこの装置を用いることが可能になり、容器が保管位置にあるとき容器の壁に偶発的に作用する圧力により生じうる不注意な製品の放出の危険性を低減することが可能になった。その結果、アプリケータが閉止状態にあるとき、これらの透孔を閉塞する部材を設ける必要がない。さらに、アプリケータ壁の表面全体にわたる製品の広がり具合が前述の文献の場合よりも良好である。
ピストンとアプリケータ壁の間に形成される空間にネジを通じて製品を充填することができ、残っている唯一の操作は、第一の開口部を必要に応じて閉塞するために栓体を嵌合させることであり、これは、工業製造ラインでは、アプリケータまたはその周辺を製品で汚す危険性を伴わないで自動的に実施できることである。
【００１２】
特に、アプリケータ壁の領域とロッドの内側との間には圧力勾配があるので、通気孔が形成されている位置では、ピストンがアプリケータ壁に向けて駆動されると、特に作動機構に向けて、ピストンとアプリケータ壁の間に形成されたハウジングから製品が漏れる危険性が顕著に低減される。これらの危険性は、通気孔の断面がアプリケータ壁にある透孔の全断面積に比べて無視できるものであるので、さらに低減される。米国特許第４２９８０３６号では、ピストンに形成された透孔は圧力が最大の場所にある。
【００１３】
上記少なくとも一の通気孔は、充填の間、好ましくは製品の最大高さを越えて位置し、充填期間の全体にわたって有効であるように、配置される。好適には、上記少なくとも一の通気孔は、ピストンがアプリケータ壁から最も離れた距離にあるときに、ピストンの近傍にくるように配置される。通気孔の最大直径は特に製品の粘度に応じて選ばれる。実際、これは、容器内部に有意な圧力上昇がないとき、製品がその自重の作用によりアプリケータ壁の透孔を通じて製品が流れ出ることができないように選ばれる。しかして、製品の粘度が大きくなると、通気孔の断面積を大きくすることができる。典型的には、通気孔（一又は複数）の直径は０．３ｍｍ〜１ｍｍである。
【００１４】
好適には、アプリケータ壁はロッドの自由端に面する透孔は実質的に有しない。ロッドの軸上に直接透孔があると、特に製品が比較的速い速度で導入されるとき、充填中に、アプリケータ壁とキャップの間、またはアプリケータ壁と充填中に存在する取外し可能な内側シールとの間を製品が流れることを可能にする。このため、栓体内面またはアプリケータ表面の何れかを汚すという結果になる。あるいは、ロッドを貫通する流路が軸方向に開口していない。
アプリケータ壁を貫通する透孔の数は２０から５０でよい。透孔の直径はおよそ１〜１．５ｍｍとできる。
【００１５】
好適な実施態様では、ロッドは、回転ノブ部に作用する作動命令に応答してピストンを第二の位置に向けて駆動するために、ピストンに設けられた対応ネジ部と協働可能なネジ部を有している。あるいは、駆動機構はラックに沿ってピストンを進ませる押圧可能なボタンを伴うラック機構から構成してもよい。
上記少なくとも一の第二の開口部は、アプリケータ壁の近くに位置するロッドの自由端の近くに配置されうる。好適には、該開口部はロッドの側方に開口する。鋳型から簡単に外れるようにするため、特に側方の開口部はロッドの自由端の縁部に開口させうる。
【００１６】
ロッドの自由端はアプリケータ壁の内表面に接していてもよい。よって、ロッドがその全長にわたって中空であり、軸方向の開口部で終端する場合、その開口部は実質的に浸透させない形でアプリケータ壁の内表面によって閉塞されうる。しかし、充填速度を速めるためには、自由端はアプリケータ壁の内表面からゼロでない距離にあるようにできる。
好適には、ロッドは、ロッド上で互いに離れる方向に開口する少なくとも二の第二の開口部を備える。
【００１７】
アプリケータ壁と反対側にある本体の一端には取付底部が設けられ、該取付底部には、第一の開口部と連通する開口部を設けてもよい。この底部により、アプリケータを程度の差はあれ閉塞された空間の形で製造することが可能になる。
充填後に、第一の開口部は、取付栓体で、例えばスナップ締結、接着、螺合または溶着（溶接）により閉塞されてもよい。本発明において、「栓体」という用語は、第一の開口部をシール可能なあらゆる部材を含む。それは接着またはヒートシールされた内側シールであってもよい。
【００１８】
製品のレオロジーとアプリケータの一般的構造によっては、充填後、特にピストンのスラスト力が作用している状態で、通気孔を閉塞し、製品が通気孔を通って流れ出ることができないようにすることが望ましい場合がある。有利には、第一の開口部を閉塞する栓体の部分は、アプリケータに取り付けたとき、ロッド内部をロッドの外側と分離するように構成することができる。このためには、栓体をアプリケータに取り付けるために使用されるスカート部は、少なくとも一の通気孔まで延び、それまたはそれらを閉塞するように延長されうる。
好適には、本発明に係るアプリケータは、特にクリップ止めで、取り外し可能に本体に取り付けられたキャップを備え、アプリケータ壁は外部から通気されないように隔離されるようになっている。
【００１９】
好ましくは、製品を通さない取外し可能な内側シールは、最初の使用の前には、特に接着やヒートシーリングによって、アプリケータ壁に取り付けられている。このような内側シールは、充填の間キャップを保護することの他に、不正な開封の証拠となる。さらに、最初の使用前の輸送されまたは保管されている間のアプリケータの不浸透性を向上させる。
本発明に係るアプリケータは、特にクリーム、ゲルまたはペースト状の化粧製品を適用するために、特に使用できる。
上に述べた構成とは別に、本発明は、添付図を参照して説明される幾つかの非限定的な実施態様に関して以下に説明される所定数の他の構成からなる。
【００２０】
【発明の実施の形態】
図１と図２（Ａ）−（Ｂ）に示すアプリケータ１は、一端が、小断面の複数の透孔４が中心部を除いてその実質的に全表面にわたって分散して貫通せしめられた壁部３で終端している長尺断面の中空本体２を具備している。該透孔４の平均直径はおよそ１ｍｍである。
上記本体２と上記端面壁部３は、ポリプロピレンのような材料を用いて一部品の形態に成形することにより得られる。
穿設された壁部３には、最初の使用前に取り外されることとなる、特にアルミニウムまたはプラスチック／アルミニウム複合体製の、内側シール５がヒートシーリングによって接着されている。取り外し可能なキャップ６により、二回の使用の間において、穿設壁部３を外部からシールすることが可能になる。該キャップ６は本体２にしっかりと嵌合されるか、係脱可能なクリップ止めにより、取り付けられている。
【００２１】
本体２の内側には、側壁３１が本体２の内表面８にシール状態で当接可能なピストン７が摺動自在に設けられている。
上記ピストン７の中央には、ネジが形成されているロッド１２の外表面に設けられた対応ネジ部１１と係合可能なネジ部１０を内表面に有する透孔９が貫通している。ネジが形成されたロッド１２は、本体２の軸方向高さとほぼ等しいＸ軸方向の高さを有している。
ネジの形成されたロッド１２は、ロッド１２とピストン７を取り付けた状態で、本体２の二つの細長い面の下方端の近傍に形成された二つの窓部１４から部分的に突出可能なノブ部１３に、その下方端から約１ｃｍのところで、固定されている。
【００２２】
本体２の端面壁部３とは反対側の端部は、本体２の自由縁部を収容可能な周方向の溝を形成する二つの側方スカート部１６、１７を有する取付底部１５によって閉止されている。取付底部１５は、また軸方向の中空シャフト１９によって形成された中心開口部１８も備えている。軸方向の中空シャフト１９は、ネジが形成されたロッド１２の外径よりわずかに大きい内径を有しており、該ロッド１２を軸方向の中空シャフト１９内に回転自在に挿入可能とされている。
隆起（バルジ）部／溝構造２０により、取付底部１５を本体２にしっかり係止させることが可能になっている。
ネジが形成されたロッド１２はその全長に渡って中空であるので、ノブ部１３の近くに位置する軸方向開口部２１からロッドの反対の端部に位置する軸方向開口部２２まで延びる流路２３を形成している。流路２３の内径はおよそ８〜１０ｍｍである。
【００２３】
図２（Ｂ）に示された組立て状態では、軸方向の開口部２１はアプリケータの外側へ開口している。アプリケータに製品で充填された後では、開口部２１は嵌入（クリップ止め）栓体２４で閉止される。
アプリケータが組立て状態にあるとき、軸方向開口部２２を定める縁部２５は、端面壁部３の内表面に開口部２２をシールするために形成された更なる厚みの外縁部２８とシール状態で係合せしめられる。
縁部２５には、直径方向に対向する二つの側方開口部２６、２７が穿設されている。アプリケータが組み立てられた状態で、この側方開口部により、流路２３と、ピストン７と端面壁部３の間に形成されたハウジング３０の間を連通させることができる。
【００２４】
また、ネジが形成されたロッド１２には、ピストン７が最も低い位置にあるとき（図２（Ｂ））、該ピストンの僅かに上方に位置する通気孔２９が貫通せしめられている。該通気孔２９の直径はおよそ０．５ｍｍ〜１ｍｍとできる。
図に示したものとは異なるが、栓体２４のスカート部は、図２（Ｂ）に示した組立て状態で、スカートの端部が長く、通気孔２９を覆うようにそれに面していても構わない。
このようなアプリケータを使用するには、消費者はキャップ６を取り外し、初めて使用するときには内側シール５を取り除く。ついで、ピストン７を端面壁部３の方へ動くようにノブ部１３を回す。その結果、ハウジング３０に収容されている製品に圧力が加わり、端面壁部３にある透孔４を通ってアプリケータから放出される。ついで、アプリケータの壁部３を手入れされるべき表面上で動かすことによって、製品が、手入れされるべき表面に塗布される。
【００２５】
次に参照する図３（Ａ）−（Ｂ）はアプリケータの充填状態を示している。
図３（Ａ）では、アプリケータは上下逆さにされており、栓体２４は取り除かれている。ピストン７は端面壁部３から最も離れた位置にある。充填管５０が軸方向の開口部２１から流路２３内に導入されている。充填管５０によって移送され製品は側方開口部２６、２７を通ってハウジング３０に入る。ハウジング３０内に閉じ込められている空気は通気孔２９を通って逃げる。少なくともピストン７に製品が届くまで充填は続く。そして、栓体２４が開口部２１に取り付けられる。充填速度を上げたいときには、ロッドの自由端が端面壁部からある距離だけ離れるようにする。
【００２６】
前述の詳細な説明では、いくつかの本発明の好ましい実施形態を説明した。特許請求の範囲に記載された発明の精神から逸脱しない限り、これらに変形を施すことができることは明らかである。
【図面の簡単な説明】
【図１】  本発明の好適な実施形態に係るアプリケータの分解図である。
【図２】  （Ａ）と（Ｂ）は共に図１のアプリケータの組立て状態を示す図である。
【図３】  （Ａ）と（Ｂ）は共に図１と図２に示したアプリケータの充填状態を示す図である。
【符号の説明】
１                  アプリケータ
２                  本体
３                  アプリケータ壁
６                  キャップ
７                  ピストン
１０、１１          駆動機構（ネジ部）
１２                ロッド
１３                駆動機構（ノブ部）
２３                流路
２１                第一の開口部
２４                栓体
２２、２６、２７    第二の開口部
【図１】
0003699924.tif 000002
【図２】
0003699924.tif 000003
【図３】
0003699924.tif 000004